(57)【要約】【課題】ルータを必要とせずコストを削減したバックアップ機能付ＡＤＳＬモデムを提供する。【解決手段】通信経路切替部１４と、回線障害を監視するＡＤＳＬ回線障害監視部１１と、ＯＡＭ（ＡＩＳ）セルの受信を監視する受信監視部１２と、ＯＡＭ（ＬＢ）セル受信を監視しＯＡＭ（ＬＢ要求）セルを送出する送受信監視部１３とを有し、回線障害監視部１１が、ＡＩＳ監視タイマ１１と、ＡＩＳ障害検出タイマ１１２と、ＡＩＳ障害回復タイマ１１４と、ＯＡＭ（ＬＢ要求）セル送出タイマ１１３と、復旧ＯＡＭ（ＬＢ要求）セル送出タイマ１１５と、ＯＡＭ（ＬＢ要求）セルに対するＯＡＭ（ＬＢ応答）セル受信なし回数をカウントする障害検出カウンタ１１６と、復旧ＯＡＭ（ＬＢ要求）セルに対するＯＡＭ（ＬＢ応答）セル受信回数をカウントする復旧確定回数カウンタ１１７を有するバックアップ機能付ＡＤＳＬモデム１。【選択図】        図２
2004201246.tif 000002
【特許請求の範囲】
【請求項１】
ＡＤＳＬの回線状態及びＡＤＳＬ回線を経由した経路の監視を行ない、回線及び経路の障害を検出した場合、自動または手動により公衆網を経由した経路への切替えを行ない、ＡＤＳＬ回線経路のバックアップを行なうことを特徴としたＡＤＳＬモデム。
【請求項２】
前記回線障害及びＡＤＳＬ回線を経由した経路の障害の検出には、ＡＤＳＬモデムのリンク状態の監視と、
ＡＴＭのＯＡＭセルの故障管理ＯＡＭセルであるＡＩＳ，ＲＤＩ，ＬＢの監視により行なうことを特徴とし、また、それぞれの監視項目、監視時間について設定することができることを特徴とする、請求項１に記載のバックアップ機能付ＡＤＳＬモデム。
【請求項３】
前記公衆網を経由した経路でのバックアップ状態時、ＡＤＳＬ回線を経由した経路の復旧の検出を行ない、回線及び経路の障害の復旧を検出した場合、自動または手動にて本来の経路であるＡＤＳＬ回線を経由した経路への復旧を行なうことを特徴とする、請求項２に記載のバックアップ機能付ＡＤＳＬモデム。
【請求項４】
前記回線障害及びＡＤＳＬ回線を経由した経路の障害復旧の検出には、ＡＤＳＬモデムのリンク状態の監視と、
ＡＴＭのＯＡＭセルの故障管理ＯＡＭセルであるＡＩＳ，ＲＤＩ，ＬＢの監視と、
ＡＴＭのユーザセルの監視により行うことを特徴とし、また、それぞれの監視項目、監視時間について設定することができることを特徴とする、請求項３に記載のバックアップ機能付ＡＤＳＬモデム。
【請求項５】
ＬＡＮインタフェースとＡＤＳＬ回線インタフェースとＩＳＤＮ回線インタフェースとを有し、ＡＤＳＬ回線に障害が発生したときＩＳＤＮ回線で通信をバックアップするバックアップ機能付ＡＤＳＬモデムにおいて、
ＬＡＮインタフェースとの通信をＡＤＳＬ回線インタフェースまたはＩＳＤＮ回線インタフェースのいずれかに切り替える通信経路切替部と、
ＡＤＳＬ回線の障害の状態を監視するＡＤＳＬ回線障害監視部と、
ＡＤＳＬ回線からのＯＡＭ（ＡＩＳ／ＲＤＩ）セルの受信を監視するＯＡＭ（ＡＩＳ／ＲＤＩ）受信監視部と、
ＡＤＳＬ回線からのＯＡＭ（ＬＢ）セルの受信を監視するとともにＡＤＳＬ回線へＯＡＭ（ＬＢ要求）セルを送出するＯＡＭ（ＬＢ）送受信監視部と
を有し、
ＡＤＳＬ回線障害監視部が、
所定数のＡＩＳセルを受信可能な時間が設定されＡＩＳセルの受信によって再起動されるＡＩＳ監視タイマと、
ＡＩＳセルの受信によって起動されＡＩＳ監視タイマの設定時間より長い時間が設定されるＡＩＳ障害検出タイマと、
ＡＩＳ監視タイマの設定時間が経過したことにより起動され所定数のＡＩＳセルを受信可能な時間が設定されるＡＩＳ障害回復タイマと、
ＡＤＳＬ回線へＯＡＭ（ＬＢ要求）セルを送出する間隔が設定されるＯＡＭ（ＬＢ要求）セル送出タイマと、
ＡＤＳＬ回線へ復旧ＯＡＭ（ＬＢ要求）セルを送出する間隔が設定される復旧ＯＡＭ（ＬＢ要求）セル送出タイマと、
ＯＡＭ（ＬＢ要求）セルの送出に対するＡＤＳＬ回線からＯＡＭ（ＬＢ応答）セルを受信しなかった回数をカウントする障害検出カウンタと、
復旧ＯＡＭ（ＬＢ要求）セルの送出に対するＡＤＳＬ回線からＯＡＭ（ＬＢ応答）セルの受信回数をカウントする復旧確定回数カウンタとを有する
ことを特徴とするバックアップ機能付ＡＤＳＬモデム。
【発明の詳細な説明】
【０００１】
【発明の属する技術分野】
本発明は、コンピュータ通信ネットワークに適用されるＡＤＳＬ（AsymmetricDigital Subscriber Line：非対象デジタル加入者線）通信技術に対応したＡＤＳＬモデムに関し、特に、ＩＳＤＮ回線等の公衆網を利用したバックアップ機能を有するＡＤＳＬモデムに関する。
【０００２】
【従来の技術】
ＡＤＳＬ回線を経由した経路のバックアップとして、現在行われている多くの方法としては、図１１に示すようにＡＤＳＬモデム１−１，１−２の外側にＩＳＤＮ回線６Ｂを経由した経路でのバックアップの機能を持ったルータ３−１，３−２を設置し、ルータが有する回線の経路の状態を監視する機能を使ってＡＤＳＬ回線経由の経路であるインターネット５の状態を監視し、障害の検出を行ない、障害を検出した場合、ルータ３−１，３−２によってＩＳＤＮ回線６を経由したバックアップを可能としている（例えば、特許文献１参照）。
【０００３】
したがって、このような方法によりＩＳＤＮ回線を利用してＡＤＳＬ回線経由の経路をバックアップした場合、必ずＩＳＤＮ回線を経由した経路へバックアップする機能を持ったルータが必要となり、大規模なネットワークシステムの構築を考えると、設置するルータの台数もかなりのものになることが問題となる。
【０００４】
また、設置したルータに対してのメンテナンス、保守が必要となり、それらすべてのコストを考えるとバックアップはしたいのだが、諦めてしまうというケースも多い。
【０００５】
【特許文献１】
特許第２７５８７７７号公報
【０００６】
【発明が解決しようとする課題】
上記問題に鑑み、この発明の目的は、ＡＤＳＬ回線経由の通信をＩＳＤＮ回線等の公衆網経由の通信でバックアップするようにしたバックアップ機能付ＡＤＳＬモデムにおいて、ＡＤＳＬ回線の障害発生時にＩＳＤＮ回線に切り替えることができ、ルータを必要とせず、かつコストを削減することにある。
【０００７】
【課題を解決するための手段】
本発明のバックアップ機能付ＡＤＳＬモデムは、ＡＤＳＬ回線及びＡＤＳＬ回線を経由した経路の障害を設定された内容に従い検出を行ない、障害を検出した場合、自動または手動により公衆網を経由した経路でバックアップを行うための機能を持ち、また、公衆網を経由した経路でのバックアップ動作中においては、ＡＤＳＬ回線及びＡＤＳＬ回線を経由した経路の復旧の監視を設定された内容に従い行ない、復旧を検出した場合、自動または手動により公衆網を切断し、本来の経路であるＡＤＳＬ回線を経由した経路への切替を行なう。
【０００８】
また、本発明は、ＬＡＮインタフェースとＡＤＳＬ回線インタフェースとＩＳＤＮ回線インタフェースとを有し、ＡＤＳＬ回線に障害が発生したときＩＳＤＮ回線で通信をバックアップするバックアップ機能付ＡＤＳＬモデムにおいて、ＬＡＮインタフェースとの通信をＡＤＳＬ回線インタフェースまたはＩＳＤＮ回線インタフェースのいずれかに切り替える通信経路切替部と、ＡＤＳＬ回線の障害の状態を監視するＡＤＳＬ回線障害監視部と、ＡＤＳＬ回線からのＯＡＭ（ＡＩＳ／ＲＤＩ）セルの受信を監視するＯＡＭ（ＡＩＳ／ＲＤＩ）受信監視部と、ＡＤＳＬ回線からのＯＡＭ（ＬＢ）セルの受信を監視するとともにＡＤＳＬ回線へＯＡＭ（ＬＢ要求）セルを送出するＯＡＭ（ＬＢ）送受信監視部とを有し、前記ＡＤＳＬ回線障害監視部が、所定数のＡＩＳセルを受信可能な時間が設定されＡＩＳセルの受信によって再起動されるＡＩＳ監視タイマと、ＡＩＳセルの受信によって起動されＡＩＳ監視タイマの設定時間より長い時間が設定されるＡＩＳ障害検出タイマと、ＡＩＳ監視タイマの設定時間が経過したことにより起動され所定数のＡＩＳセルを受信可能な時間が設定されＡＩＳ障害回復タイマと、ＡＤＳＬ回線へＯＡＭ（ＬＢ要求）セルを送出する間隔が設定されるＯＡＭ（ＬＢ要求）セル送出タイマと、ＡＤＳＬ回線へ復旧ＯＡＭ（ＬＢ要求）セルを送出する間隔が設定される復旧ＯＡＭ（ＬＢ要求）セル送出タイマと、ＯＡＭ（ＬＢ要求）セルの送出に対するＡＤＳＬ回線からＯＡＭ（ＬＢ応答）セルを受信しなかった回数をカウントする障害検出カウンタと、復旧ＯＡＭ（ＬＢ要求）セルの送出に対するＡＤＳＬ回線からＯＡＭ（ＬＢ応答）セルの受信回数をカウントする復旧確定回数カウンタとを備えた。
【０００９】
このように、ＡＤＳＬモデム自体にＩＳＤＮ回線を経由した経路でバックアップできる機能を持たせたことにより、ＩＳＤＮ回線を経由した経路でバックアップするためのルータを必要としないので、バックアップにかかるコストを削減することができる。
【００１０】
【発明の実施の形態】
以下、本発明の実施例について図面を参照して説明する。図１は、本発明の一実施例によるシステム構成を示すブロック図である。本発明の一実施例によるシステムは、ネットワーク７Ａと、ネットワーク７Ｂを、ＤＳＬＡＭ５１とＡＴＭ（AsynchronousTransfer Mode）網５２とＩＰ−ＶＰＮ（InternetProtocol-Virtual Private Network）網５３とを含むＡＤＳＬ回線５、および公衆網（例えばＩＳＤＮ回線）６を介して接続して構成されている。ネットワーク７Ａ内部には、バックアップ機能付ＡＤＳＬモデム１と、ルータ３−１と、ＰＣ８−１とが配置されている。また、ネットワーク７Ｂには、ルータ３−２と、ＰＣ８−２とが設置されている。
【００１１】
このシステムは、通常、ネットワーク７Ａとネットワーク７Ｂ間は、ＤＳＬＡＭ５１、ＡＴＭ網５２、ＩＰ−ＶＰＮ５３を含むＡＤＳＬ回線５の経路を経由して通信を行なっており、この経路に何らかの障害が発生した場合、ＩＳＤＮ回線６を利用したバックアップ経路を経由して通信を行なうシステムである。
【００１２】
図２を用いて、本発明にかかるバックアップ機能付ＡＤＳＬモデム１の機能構成の概要を説明する。バックアップ機能付ＡＤＳＬモデム１は、ＡＤＳＬ回線障害監視部１１と、ＯＡＭ（ＡＩＳ／ＲＤＩ）セル受信監視部１２と、ＯＡＭ（ＬＢ）セル送受信部１３と、通信経路切替部１４と、ＡＤＳＬ回線制御部１５と、ターミナルアダプタ部１６と、表示部１７と、ＡＤＳＬ回線インタフェースＰ１１と、ＬＡＮインタフェースＰ１２と、ＩＳＤＮ回線インタフェースＰ１３とを有して構成される。
【００１３】
ＡＤＳＬ回線障害監視部１１は、ＡＤＳＬ回線５の障害の状態を監視する機能を有している。ＡＤＳＬ回線障害監視部１１は、ＡＩＳ監視タイマ１１１と、ＡＩＳ障害検出タイマ１１２と、ＯＡＭ（ＬＢ要求）セル送出タイマ１１３と、ＡＩＳ障害回復タイマ１１４と、復旧ＯＡＭ（ＬＢ要求）セル送出タイマ１１５とを有している。さらに、ＡＤＳＬ回線障害発生監視部１１は、障害検出カウンタ１１６と、復旧確定回数カウンタ１１７を有している。
【００１４】
ＡＩＳ監視タイマ１１１は、所定数のＡＩＳセルを受信可能な時間が設定されＡＩＳセルの受信によって起動されまたは再起動されるタイマであり、ＡＩＳセルの受信を監視するためのタイマである。
【００１５】
ＡＩＳ障害検出タイマ１１２は、ＡＩＳセルの受信によって起動されＡＩＳ監視タイマの設定時間より長い時間が設定されるタイマであり、ＡＩＳの受信の途絶えを検出してＡＤＳＬ回線の障害を検出するためのタイマである。
【００１６】
ＯＡＭ（ＬＢ要求）セル送出タイマ１１３は、ＡＤＳＬ回線へＯＡＭ（ＬＢ要求）セルを送出する間隔が設定されるタイマである。タイムアップ毎にＯＡＭ（ＬＢ）セル送受信監視部１３へＯＡＭ（ＬＢ要求）セルの送出を指示する。
【００１７】
ＡＩＳ障害回復タイマ１１４は、ＡＩＳ監視タイマ１１１の設定時間が経過したことにより起動され所定数のＡＩＳセルを受信可能な時間が設定されるタイマであり、ＡＩＳの障害復旧を監視する。
【００１８】
復旧ＯＡＭ（ＬＢ要求）セル送出タイマ１１５は、復旧ＬＢを送出するタイマである。ＡＤＳＬ回線へ復旧ＯＡＭ（ＬＢ要求）セルを送出する間隔が設定される復旧ＯＡＭ（ＬＢ要求）セル送出タイマと、
【００１９】
障害検出カウンタ１１６は、ＡＤＳＬ回線に送出したＯＡＭ（ＬＢ要求）セルに対してＡＤＳＬ回線からＯＡＭ（ＬＢ応答）セルを受信しなかった回数を計数するカウンタである。障害検出カウンタ１１６は、カウントアップしたとき障害発生をＯＡＭ（ＬＢ要求）セル送受信監視部１３へ通知する。
【００２０】
復旧確定回数カウンタ１１７は、ＡＤＳＬ回線に送出した復旧ＯＡＭ（ＬＢ要求）セルに対してＡＤＳＬ回線からＯＡＭ（ＬＢ応答）セルを受信した回数を計数するカウンタである。復旧確定回数カウンタ１１７は、カウントアップしたとき、ＡＤＳＬ回線の復旧をＯＡＭ（ＬＢ要求）セル送受信監視部１３へ通知する。
【００２１】
ＯＡＭ（ＡＩＳ／ＲＤＩ）受信監視部１２は、ＡＴＭ網側での障害発生時に網側から発生されるＡＩＳセルをＡＤＳＬ回線５から受信したことを監視しＡＤＳＬ回線障害監視部へ通知する機能と、ＡＩＳセルを受信したときに、ＡＩＳ監視タイマ１１１と、ＡＩＳ障害検出タイマ１１２を起動する働きを有している。
【００２２】
ＯＡＭ（ＬＢ）送受信部１３は、ＡＤＳＬ回線５へＯＡＭ（ＬＢ要求）セルを送り出す機能と、ＡＤＳＬ回線５からＯＡＭ（ＬＢ応答）セルを受信する機能を有している。
【００２３】
通信経路切替部１４は、ＡＤＳＬ回線５に障害が発生したときに、ＬＡＮインタフェースとの通信経路をＩＳＤＮ回線６へ切り替える機能を有している。通信経路切替部１４は、ＯＡＭ（ＡＩＳ／ＲＤＩ）セル受信監視部１２またはＯＡＭ（ＬＢ）セル送受信監視部１３を経由した回線障害発生情報または回線復旧情報によって、通信経路を自動的に切り替えるかまたは手動で切り替える手段である。
【００２４】
ＡＤＳＬ回線制御部１５は、ＡＤＳＬ回線５との通信を制御する機能と、ＡＤＳＬ回線５から受信したＡＴＭセルからＯＡＭ（ＡＩＳ／ＲＤＩ）セルとＯＡＭ（ＬＢ）セルを抽出する機能と、ＯＡＭ（ＬＢ要求）セルをＡＤＳＬ回線５へ送出する機能を有している。
【００２５】
ターミナルアダプタ部１６は、ＩＳＤＮ回線６を経由した通信を制御する働きを有している。
【００２６】
表示部１７は、ＡＤＳＬ回線５における障害の発生状況や障害復旧情報などを表示する機能を有している。
【００２７】
ＡＤＳＬ回線インタフェースＰ１１は、ＡＤＳＬ回線５とのインタフェースである。
【００２８】
ＬＡＮインタフェースＰ１２は、ＬＡＮとのインタフェースである。
【００２９】
ＩＳＤＮ回線インタフェースＰ１３は、ＩＳＤＮ回線６とのインタフェースである。
【００３０】
図３を用いて、図１に示すシステムにおけるＡＤＳＬ回線及びＡＤＳＬ回線を経由した経路の障害検出方法の概略を説明する。図４、図５は、バックアップ機能付ＡＤＳＬモデムの障害／復旧監視条件を示した図であり、これら図３及び、図４、図５を参照して本発明の一実施例による障害の検出方法について説明する。
【００３１】
図３に示すように、ＡＤＳＬモデム１の電源をＯＮすると（ステップＳ１）、ＡＤＳＬモデム１を起動する（ステップＳ２）。通信経路切替部１４がＡＤＳＬ回線側を選択しており、ＡＤＳＬ回線制御部１５は、バックアップ機能付ＡＤＳＬモデム１のリンクが確立したか否かを監視する（ステップＳ３）。バックアップ機能付ＡＤＳＬモデム１のリンクが確立するまでは、ＡＤＳＬモデム起動（ステップＳ２）を繰り返し行なう。
【００３２】
バックアップ機能付ＡＤＳＬモデム１のリンクが確立する（ステップＳ３、Ｙｅｓ）と、バックアップ機能付きＡＤＳＬモデム１のモードがＡＤＳＬ通信モード（ステップＳ４）となり、ここではじめてＡＤＳＬ回線障害監視部１１がＡＤＳＬ回線５を経由した経路の障害監視を開始する。
【００３３】
ＡＤＳＬ回線５における障害の発生は、いくつかの条件を組合わせて監視しており、その内のどれか１つでも条件が成立した時点で障害発生と判断する。図４に示すように、障害監視の組合わせは障害監視条件のうち切替条件（項番１）の２通りの条件から選択することができる。１つは、ＡＤＳＬ回線障害監視とＡＴＭのＯＡＭセル（ＡＩＳ／ＲＤＩ）受信監視という組合わせ。もう１つは、ＡＤＳＬ回線障害監視とＯＡＭセル（ＡＩＳ／ＲＤＩ）受信監視とＯＡＭセル（ＬＢ：ループバック）応答無し監視という組合わせである。
【００３４】
それぞれの障害監視条件について、どのような方法で監視を行なっているのかを以下に説明する。
【００３５】
まず一つ目は、ＡＤＳＬ回線障害監視（図３、ステップＳ５）についてであるが、ＡＤＳＬ回線障害の検出はモデムのリンクが確立維持されているかリンクが断しているかを監視することにより行なっている。モデムのリンク断の検出は、障害監視条件のＡＤＳＬ回線障害検出時間（図４、項番４）の設定値により行なう。検出時間０分、１分、２分から設定ができ、その検出時間の間、モデムのリンク断が継続していた場合、ＡＤＳＬ回線障害と判断する。
【００３６】
二つ目は、ＯＡＭセルの故障管理ＯＡＭセルであるＡＩＳ／ＲＤＩの受信監視である（図３、ステップＳ６）。ＡＩＳとＲＤＩを監視することにより、前述のＡＤＳＬ回線５の障害だけでなく、ＡＤＳＬ回線５を経由した経路についての障害の監視を行なうというものである。
【００３７】
ＡＩＳ／ＲＤＩの監視は、障害監視条件のＡＩＳ監視時間（図４、項番５）とＡＩＳ障害検出時間（図４、項番６）により行なう。ＡＩＳ監視時間は０秒〜９９秒、ＡＩＳ障害検出時間は１秒〜９９秒の間で設定できる。それぞれの初期値は、ＡＩＳ監視時間が３秒、ＡＩＳ障害検出時間が４秒となっている。ＲＤＩの監視もこの設定時間により監視を行なっている。
【００３８】
図６を用いて、上記設定値に設定した場合でのＡＤＳＬ回線５の障害検出方法の詳細な説明を行う。
【００３９】
ＡＤＳＬ網５に障害が発生すると（Ｓ２１）、ＡＤＳＬ網は障害が復旧するまで、通常、約１秒間隔でＡＩＳを送出し続ける。バックアップ機能付ＡＤＳＬモデム１は、最初のＡＩＳ−１をＡＤＳＬ網５から受信すると、ＡＩＳ監視タイマ（時間）１１１を起動し（Ｓ２２）、ＡＩＳ障害検出タイマ（時間）１１２を起動（Ｓ２３）する。
【００４０】
ＡＩＳ監視タイマ（時間）１１１は、次のＡＩＳ−２を受信すると、再びＡＩＳ監視タイマ（時間）１１１を起動し直す（Ｓ２４）。このようにして、ＡＩＳ−１〜ＡＩＳ−５を受信する度にＡＩＳ監視タイマ（時間）１１１を起動し直す（Ｓ２５〜Ｓ２７）。
【００４１】
こうして、ＡＩＳ監視タイマ（時間）が満了することなく、ＡＩＳ障害監視タイマ（時間）１１２が満了となったとき（Ｓ２８）、つまり、ＡＩＳ監視タイマ（時間）１１２の監視周期以下の周期でＡＩＳを受信し続けた場合、ＡＩＳ障害と判断する（Ｓ２９）。
【００４２】
次に、同様の設定値でＡＩＳ障害にならない場合の例を、図７を参照して説明する。
【００４３】
ＡＤＳＬ網５に障害が発生して（Ｓ３１）、ＡＤＳＬ網がＡＩＳ−１を送出すると、バックアップ機能付ＡＤＳＬモデム１は、ＡＩＳ−１を受信し、ＡＩＳ監視タイマ（時間）１１１を起動し（Ｓ３２）、ＡＩＳ障害検出タイマ（時間）１１２を起動する（Ｓ３３）。
【００４４】
ＡＤＳＬ網５は、ＡＩＳ−１を送出後、障害が復旧すると（Ｓ３４）、ＡＩＳの送出を停止する。バックアップ機能付ＡＤＳＬモデム１は、ＡＩＳを受信しないので、ＡＩＳを受信する度に起動し直していたＡＩＳ監視タイマ（時間）１１１の再起動が発生せずＡＩＳ監視タイマ（時間）が満了する（Ｓ３５）。ＡＩＳ障害検出タイマ１１２が満了すると（Ｓ３６）、ＡＩＳ監視タイマ１１１が起動しているか否かを見て、ＡＩＳ監視タイマ１１１が起動していないときには、ＡＩＳ監視タイマ（時間）の監視周期でＡＩＳを受信しなかったと判断し、この場合、ＡＩＳ障害とはならない（Ｓ３７）。
【００４５】
三つ目は、ＯＡＭセルの故障管理ＯＡＭセルであるＬＢセルの応答監視である（図３、ステップＳ７）。ＬＢ要求を一定間隔で送信し、そのＬＢ応答を監視することによりＡＤＳＬ回線５を経由した経路についての障害の監視を行なうというものである。しかしこの条件は、ＬＢセルを送受信することによって回線の帯域を使用するため、障害検出の必須条件ではなく、ユーザーによる選択が可能としてある。
【００４６】
ＬＢセルの応答監視はＡＤＳＬ回線障害監視部１１に設けたＯＡＭ（ＬＢ要求）セル送出タイマ１１３を用いて、障害監視条件のＯＡＭループバック送出間隔（図４、項番２）とＯＡＭループバック障害検出回数（図４、項番３）により行なう。ＯＡＭループバック送出間隔は、１０秒、２０秒、３０秒、６０秒から設定でき、ＯＡＭループバック障害検出回数は、１回〜５回の中から設定できる。それぞれの初期値は、ＯＡＭループバック送出間隔が２０秒、ＯＡＭループバック障害検出回数が３回となっている。
【００４７】
図８を用いて、この設定値を例にとり詳細な障害検出方法について説明する。
【００４８】
まず、バックアップ機能付ＡＤＳＬモデム１からＬＢ要求−１を送出する。このときＯＡＭループバック送出間隔で設定された設定値（本例では２０秒）のＯＡＭ（ＬＢ要求）セル送出タイマ１１３を起動する（ステップＳ４１）。このタイマの間隔でＬＢ要求を送出し続ける。
【００４９】
ＬＢ要求―１送出後、次のＬＢ要求−２送出前にＬＢ応答を受信すると、要求に対する応答が正しく返ってきたとし、通信経路に障害が発生していないものと判断する。しかし、次のＬＢ要求−２を送出してからＬＢ要求−３を送出するまでの間にＬＢ応答を受信していない場合には、通信経路に何等かの障害が発生している可能性があるものとし、この時点でＯＡＭループバック障害検出回数を１回とカウントする。本例では、ＯＡＭループバック障害検出回数が３回であるため、まだ障害検出とはならない。
【００５０】
このようにして、次のＬＢ要求−４送出までの間にＬＢ応答を受信していない場合には、ＯＡＭループバック障害検出回数が２回となり、また次のＬＢ要求−５送出までの間にＬＢ応答を受信していない場合には、ＯＡＭループバック障害検出回数が３回となる。この時点でＯＡＭループバック障害検出回数が３回となる。この時点でＯＡＭループバック障害検出回数が３回と設定されていることから、ＯＡＭループバック無応答と判断し障害検出となる（ステップＳ４２）。
【００５１】
ただし、検出は連続３回の検出であり、途中でＬＢ応答を受信した場合は、また１からＯＡＭループバック障害検出回数のカウントを開始する。
【００５２】
前述の三つの障害検出条件のうちどれか一つの条件でも障害を検出すると、ＩＳＤＮ回線６を接続し（図３、ステップＳ８）、通信経路切替部１４をＩＳＤＮ回線６を経由した経路側へ切り替える。また、切替えと同時に、装置内のモードをＩＳＤＮ通信モードとし（図３、ステップＳ９）、今度はＡＤＳＬ回線５及びＡＤＳＬ回線５を経由した経路の復旧の監視を開始する（図３、ステップＳ１０）。復旧の監視方法については、次で詳しく述べる。
【００５３】
障害復旧の監視条件には次の３つの条件がある。ＡＤＳＬ回線復旧監視、ＯＡＭセル（ＡＩＳ／ＲＤＩ）障害回復監視、ＯＡＭセル（ＬＢ）による復旧監視である。
【００５４】
それぞれの復旧監視条件について、どのような方法で監視を行なっているのかを以下に説明する。
【００５５】
まず一つ目は、ＡＤＳＬ回線復旧監視についてである。ＡＤＳＬ回線復旧監視は、復旧監視条件のＡＤＳＬ回線復旧検出時間（図５、項番６）の設定値により行なう。検出時間は０分、１分、２分から設定ができ、その検出時間の間、モデムのリンクが確立維持していた場合、ＡＤＳＬ回線復旧と判断する。
【００５６】
二つ目は、ＯＡＭセルの故障管理ＯＡＭセルであるＡＩＳ／ＲＤＩの障害回復監視である。ＡＩＳとＲＤＩを監視することにより、前述のＡＤＳＬ回線の復旧だけでなく、ＡＤＳＬ回線を経由した経路についての障害の復旧監視を行なうというものである。
【００５７】
ＡＩＳ／ＲＤＩの復旧監視は復旧監視条件のＡＩＳ監視時間（図５、項番１）とＡＩＳ障害回復時間（図５、項番２）により行なう。ＡＩＳ監視時間は０秒から９９秒、ＡＩＳ障害回復時間は一秒から９９秒の間で設定できる。それぞれの初期値は、ＡＩＳ監視時間が３秒、ＡＩＳ障害回復時間が３秒となっている。
【００５８】
図９に、この設定値を例にとり詳細な復旧検出方法について説明する。なお、ＡＩＳ受信時の復旧検出方法を例に説明するが、ＲＤＩ受信時の復旧検出方法もこの方法と同様の方法で行なっている。
【００５９】
バックアップ機能付ＡＤＳＬモデム１が、既にＡＩＳ受信による障害検出状態にあるものとする。バックアップ機能付ＡＤＳＬモデム１は、ＡＤＳＬ回線５からＡＩＳを受信すると、ＡＩＳ監視タイマ（時間）１１１を起動（Ｓ５１）する。このタイマは障害検出で使用しているタイマと同じである。したがって、タイマ満了前にＡＩＳを受信すると再度タイマを起動する。このＡＩＳ監視タイマ（時間）が満了するまでにＡＩＳを受信しなければ、ＡＩＳ障害回復タイマ（時間）１１４を起動する（Ｓ５２）。さらに、このタイマが満了（Ｓ５４）するまでにＡＩＳを受信しなければ、ＡＩＳ障害は復旧したものと判断する（Ｓ５５）。
【００６０】
三つ目は、ＯＡＭセルの故障管理ＯＡＭセルであるＬＢセルの応答監視である。ＬＢ要求を一定間隔で送信し、そのＬＢ応答を監視することによりＡＤＳＬ回線を経由した経路についての復旧の監視を行なうというものである。しかしこの条件は、ＬＢセルを送受信することによって回線の帯域を使用するため、復旧検出の必須条件ではなく、ユーザーによる選択が可能（図５、項番３）としてある。
【００６１】
ＬＢセルの応答監視は、復旧監視条件の復旧ＯＡＭループバック送出間隔（図５、項番４）と復旧ＯＡＭループバック復旧確定回数（図５、項番５）により行なう。復旧ＯＡＭループバック送出間隔は、１０秒、２０秒、３０秒、６０秒から設定でき、復旧ＯＡＭループバック復旧確定回数は、２回〜６回の中から設定ができる。それぞれの初期値は、復旧ＯＡＭループバック送出間隔が３０秒、復旧ＯＡＭループバック復旧確定回数が４回となっている。
【００６２】
図１０を用いて、この設定値を例にとり詳細な復旧検出方法について説明する。
【００６３】
まず、バックアップ機能付ＡＤＳＬモデム１からＬＢ要求―１を送出する、この時、復旧ＯＡＭループバック送出間隔で設定された設定値（本例では３０秒）の復旧ＯＡＭ（ＬＢ要求）セル送出タイマ１１５を起動する（Ｓ６１）。モデム１は、このタイマの間隔でＬＢ要求−２〜ＬＢ要求−６を送出し続ける。
【００６４】
ＬＢ要求−１送出後、次のＬＢ要求−２送出前にＬＢ応答を受信しなければ、要求に対する応答が正しく返ってこないとし、通信経路の障害はまだ復旧していないものと判断する。しかし、次のＬＢ要求−２を送出してからＬＢ要求−３を送出するまでの間にＬＢ応答−１を受信しているため、通信経路の障害が復旧している可能性があるものとし、この時点で復旧ＯＡＭループバック復旧確定回数を１回とカウントする。本例では、復旧ＯＡＭループバック復旧確定回数が４回であるため、この時点ではまだ復旧検出とはならない。
【００６５】
このようにして、次のＬＢ要求−４を送出するまでの間にＬＢ応答−２を受信しているため、復旧ＯＡＭループバック復旧確定回数が２回となり、また次のＬＢ要求−５、ＬＢ要求−６を送出するまでの間にＬＢ応答−３、ＬＢ応答−４を受信しているため、復旧ＯＡＭループバック復旧確定回数が４回となる。この時点で復旧ＯＡＭループバック復旧確定回数が４回と設定されているため、ＯＡＭループバック応答が正常に受信できたと判断し復旧検出となる（Ｓ６２）。
【００６６】
ただし、検出は連続４回の検出であり、途中でＬＢ応答を受信しなかった場合は、また１から復旧ＯＡＭループバック復旧確定回数のカウントを開始する。
【００６７】
障害検出とは違い、復旧検出はこれら２つまたは、３つ（ＯＡＭループバックによる復旧監視選択時）の条件を満足しなくては復旧検出とならない。
【００６８】
障害が復旧すると、装置に設定された条件により自動または、手動で本来の通信経路であるＡＤＳＬ回線を経由した経路に切戻しを行なう。
【００６９】
【発明の効果】
以上説明したように本発明によれば、ＡＤＳＬ回線及び、ＡＤＳＬ回線を経由した経路の障害を設定された内容に従い検出を行ない、障害を検出した場合、自動または、手動によりＩＳＤＮ回線を経由した経路でバックアップを行なうための機能を持ち、また、ＩＳＤＮ回線を経由した経路でのバックアップ動作中においては、ＡＤＳＬ回線及び、ＡＤＳＬ回線を経由した経路の復旧の監視を設定された内容に従い行ない、復旧を検出した場合、自動または、手動によりＩＳＤＮ回線を切断し、本来の経路であるＡＤＳＬ回線を経由した経路への切替を行なう機能を具備することによって、ＩＳＤＮ回線を経由した経路でバックアップするためのルータを必要としないため、バックアップにかかるコストを削減できるという効果がある。
【図面の簡単な説明】
【図１】本発明にかかるバックアップ機能付ＡＤＳＬモデムを用いた通信システムの構成例を説明するブロック図。
【図２】本発明にかかるバックアップ機能付きＡＤＳＬモデムの機能構成を説明するブロック図。
【図３】ＡＤＳＬ回線を経由した経路の障害検出方法の概略を説明するフロー図。
【図４】障害検出のための障害監視条件を説明する図。
【図５】復旧検出のための障害復旧監視条件を説明する図。
【図６】ＯＡＭセル（ＡＩＳ／ＲＤＩ）受信による障害検出方法を説明する図。
【図７】ＯＡＭセル（ＡＩＳ／ＲＤＩ）受信による障害検出方法を説明する図。
【図８】ＯＡＭセル（ＬＢ）受信による障害検出方法を説明する図。
【図９】ＯＡＭセル（ＡＩＳ／ＲＤＩ）受信による障害復旧検出方法を説明する図。
【図１０】ＯＡＭセル（ＬＢ）受信による障害復旧検出方法を説明する図。
【図１１】ＩＳＤＮ回線を利用してバックアップを行なう従来の技術を説明する図。
【符号の説明】
１  バックアップ機能付ＡＤＳＬモデム
１１  ＡＤＳＬ回線障害監視部
１１１  ＡＩＳ監視タイマ
１１２  ＡＩＳ障害検出タイマ
１１３  ＯＡＭ（ＬＢ要求）セル送出タイマ
１１４  ＡＩＳ障害回復タイマ
１１５  復旧ＯＡＭ（ＬＢ要求）セル送出タイマ
１１６  障害検出カウンタ
１１７  復旧確定回数カウンタ
１２  ＯＡＭ（ＡＩＲ／ＲＤＩ）セル受信監視部
１３  ＯＡＭ（ＬＢ）セル送受信監視部
１４  通信経路切替部
１５  ＡＤＳＬ回線制御部
１６  ターミナルアダプタ部
１７  表示部
Ｐ１１  ＡＤＳＬ回線インタフェース
Ｐ１２  ＬＡＮインタフェース
Ｐ１２  ＩＳＤＮ回線インタフェース
３  ルータ
５  ＡＤＳＬ回線
５１  ＤＳＬＡＭ
５２  ＡＴＭ網
５３  ＩＰ−ＶＰＮ
７  ネットワーク
８  ＰＣ
【図１】
2004201246.tif 000003
【図２】
2004201246.tif 000004
【図３】
2004201246.tif 000005
【図４】
2004201246.tif 000006
【図５】
2004201246.tif 000007
【図６】
2004201246.tif 000008
【図７】
2004201246.tif 000009
【図８】
2004201246.tif 000010
【図９】
2004201246.tif 000011
【図１０】
2004201246.tif 000012
【図１１】
2004201246.tif 000013